(57)【特許請求の範囲】
【請求項１】
外周に入口を有するサイクロン本体と、このサイクロン本体に直交して接続された集塵タンクとからなり、前記集塵タンクにはパイプが配置されてなり、前記パイプは一端が前記サイクロン本体内部に挿入され、他端が前記集塵タンクの側面から外側に突出されて設けられており、さらに前記集塵タンクには、タンク内の状態を目視できる透明板が設けられ、この透明板の近傍には、透明板に沿って気流を吹きつけることができる小径の孔が形成されていることを特徴とするサイクロン集塵装置。
【請求項２】
前記サイクロン本体は円筒状に構成され、その中心部に前記パイプが挿入されており、この挿入されたパイプ先方には分離板が設けられていることを特徴とする請求項１に記載のサイクロン集塵装置。
【請求項３】
前記パイプは集塵機のホース取り付け口に直接装着可能に形成されていることを特徴とする請求項２に記載のサイクロン付設集塵装置。
【発明の詳細な説明】
【０００１】
【発明の属する技術分野】
本発明はサイクロン集塵装置に関するものであり、さらに詳しくは、サイクロン集塵装置を集塵機のホース取り付け口に差し込むことでサイクロン集塵装置と集塵機とを一体的に付設することができるサイクロン集塵装置に関するものである。
【０００２】
【従来の技術】
最近では図３に示すようなサイクロン集塵装置が提案されている。従来のサイクロン集塵装置を図面を参照して説明すると、図３は従来型のサイクロン集塵装置を断面図にして集塵機に取り付けた状態の側面図である。図において５０はサイクロン集塵装置、６０は集塵機であり、集塵機６０のホース取り付け口６１にはサイクロン本体５３の上部に設けたパイプ５２に接続したホース６２が接続されている。サイクロン集塵装置５０は従来公知のものであり、下部が円錐型をしたサイクロン本体５３の下に集塵タンク５４が接続されている。
【０００３】
このサイクロン集塵装置では集塵機６０で吸引力が発生するとその吸引力によってサイクロン集塵装置５０に接続された入り口（パイプ）５１から粉塵５５等を含んだ空気（以下粉塵という）が吸い込まれサイクロン本体５３で粉塵５５が遠心分離され、集塵タンク５４に回収される。また、サイクロン本体５３の中心部からは粉塵５５が除去された空気が集塵機内にホース６２を介して吸引されるため、集塵機６０内の図示せぬフィルタが目詰まりし吸引力が低下することを防止できる。
【０００４】
【発明が解決しようとする課題】
しかしながら上記サイクロン集塵装置は、サイクロン本体と集塵タンクとが同軸方向に形成され、サイクロン本体の上部にパイプが設けられているため、サイクロン本体と集塵機とを接続するホースが必要であり、またこのサイクロン集塵装置は床置タイプとなっているので、集塵機を移動するときにサイクロン集塵装置を手で移動する必要があり、使い勝手が悪い。また、サイクロン集塵装置と集塵機とが別体であるため、そのための大きな作業スペースが必要となる等の問題がある。
【０００５】
そこで本発明はサイクロン本体と集塵タンクとを直交して設け、集塵タンクの側面からパイプが外側に突出した構造としたので全体にコンパクトになり、サイクロン集塵装置と集塵機とを一体にすることが可能となり、上記従来品に比較して作業スペース、作業上生じる煩わしさを半減し作業環境を改善することを目的とする。また、パイプを集塵タンクの側面から外側に突出させて設けたので集塵機のホース取り付け口に差し込むことで一体化することができホース等の付属部品が不必要となりコストダウンを図ることができる。また容易にサイクロン集塵装置のセットが可能となり、従来品同等の集塵効率を保持できる。
【０００６】
【課題を解決するための手段】
このため、本発明が採用した技術解決手段は、
外周に入口を有するサイクロン本体と、このサイクロン本体に直交して接続された集塵タンクとからなり、前記集塵タンクにはパイプが配置されてなり、前記パイプは一端が前記サイクロン本体内部に挿入され、他端が前記集塵タンクの側面から外側に突出されて設けられており、さらに前記集塵タンクには、タンク内の状態を目視できる透明板が設けられ、この透明板の近傍には、透明板に沿って気流を吹きつけることができる小径の孔が形成されていることを特徴とするサイクロン集塵装置である。
また、前記サイクロン本体は円筒状に構成され、その中心部に前記パイプが挿入されており、この挿入されたパイプ先方には分離板が設けられていることを特徴とするサイクロン集塵装置である。
また、前記パイプは集塵機のホース取り付け口に直接装着可能に形成されていることを特徴とするサイクロン付設集塵装置である。
【０００７】
【発明の実施の形態】
以下本発明にかかるサイクロン集塵装置の実施形態を説明すると、図１はサクロン集塵装置を断面図にして集塵機に取り付けた状態の側面図、図２はサイクロン集塵装置の正面図である。
図において１はサイクロン集塵装置であり、このサイクロン集塵装置のパイプ３（詳細は後述する）の一端は集塵機１１のホース取り付け口１２に着脱可能に接続できるようになっている。なお、ここで使用している集塵機１１は従来公知の物であり、本発明の要旨ではないので、構成の詳細な説明は省略する。また当然のことながら他の形態の吸引式集塵機を使用することもできる。
【０００８】
前記集塵機１１に接続されるサイクロン集塵装置１は図示のように粉塵１０等を遠心分離するサイクロン本体２とそのサイクロン本体２に直交して取り付けられる集塵タンク４とから構成されている。サイクロン本体２は図２に示すように断面が粉塵１０を遠心分離するために円筒状に形成されており、この円筒部の端部外周に接線方向に粉塵１０を含む空気（以下粉塵という）を吸い込む入り口５が形成されている。サイクロン本体２の中心部にはパイプ３の一端が挿入され、他端が集塵タンク４の側面から外側に突出し、集塵機２のホース取り付け口１２に接続可能に構成されている。サイクロン本体２の中心線に挿入されたパイプ３の先方にはパイプ３に沿って逆流してきた粉塵１０がそのままパイプ３に吸引されることのない様に円板状の分離板７が取り付けられている。この分離板７はサイクロン本体２内で発生した粉塵１０を集塵タンク４側に流すことができるようにサイクロン本体２の内壁と分離板７との間に隙間Ｓが形成されている。
【０００９】
前記パイプ３は、サイクロン本体２と気密状態に接合されかつ直交して配置された集塵タンク４を貫通するよう取り付けられており、この集塵タンク４の下方には粉塵１０を廃棄する蓋９が取り付けられている。集塵タンク４の上部形状はサイクロン本体２からの粉塵１０の流れを引き継げるようにサイクロン本体２に合わせた湾曲状に形成されており、また集塵タンク４下部には中の様子を見ることができるように、適宜の大きさの開口部が形成され、この開口部に透明板６が取り付けられている。前記透明板６には回収した粉塵１０が集塵タンク４内から集塵機１１内に吸引されるのを防止するための粉塵１０廃棄ライン６ａが設けられており、その近傍の集塵タンク４側面には小径の孔８が形成されている。この孔８は、集塵時において、静電気によって透明板に付着した粉塵１０を吹き飛ばす気流を発生させるものであり、このため吸引された空気が透明板６に沿って吹きかかるような位置に少なくとも１個形成されている。
【００１０】
前記パイプ３の他端は集塵タンク４を貫通して集塵タンク４の側面から外側に突出するように設けられ、このパイプ３は少なくとも集塵タンク４の一方に適宜手段で固定されており、サイクロン本体２と集塵タンク４とは一体化されている。前記サイクロン集塵装置１はパイプ３の突出部を集塵機１１のホース取り付け口１２に直接接続することによりサイクロン集塵装置１を集塵機１１に簡単にセットすることができる構成となっている。また、サイクロン集塵装置１は集塵機１１に一体的に支持されるようになり、集塵機１１をキャスタ１３によって移動することでサイクロン集塵装置１も集塵機１１と一体に移動することができる。
【００１１】
以上の構成からなるサイクロン集塵装置の作用を説明する。
サイクロン集塵装置１の集塵タンク４から突出したパイプ３端部を集塵機１１のホース取り付け口１２に接続する。この接続状態でサイクロン集塵装置１は集塵機１１によって支持され一体化した状態となる。集塵機１１を作動するとパイプ３を介してサイクロン本体２に形成した入り口５から粉塵を吸引する。吸引された粉塵は円筒状をしたサイクロン本体２内に流入しサイクロン本体２の内壁に沿って図１中矢印（点線）で示すように回転しながら集塵タンク４上方に移動し、ここで空気よりも重い粉塵１０が遠心力で飛ばされながら集塵タンク４の下方に蓄積される。この作業中、静電気によって透明板６に粉塵１０が付着するがこの粉塵１０は透明板６の近傍に形成した孔８から流入する気流によって吹き飛ばされ常に透明板を介して集塵タンク内を観察することができる。また入り口５から吸引された粉塵１０はサイクロン本体２内で回転しつつ集塵タンク４上部に移動して行く。しかし移動した粉塵１０の一部がパイプ３の外周面に沿ってサイクロン本体２側に逆流しようとするが、この粉塵１０は分離板７によって阻止され、粉塵１０がパイプ３を介して集塵機１１側に流入することが防止される。
【００１２】
以上、本発明に係る実施形態について説明したが、サイクロンは図示のような円筒型に限定することなく、従来と同様の円錐型のものを使用することもできる。またサイクロンは必ずしも横置きにすることなく縦置きとし、パイプの形状を変えて集塵装置に直接取り付けることができるようにすることも可能である。また集塵タンクもサイクロで分離された塵埃を集塵することができれば、適宜形状のものを採用することができる。
【００１３】
【発明の効果】
以上詳細に述べた如く本発明によれば、従来サイクロン集塵装置と集塵機を別置きとしていたのに対し、本発明ではサイクロン集塵装置を集塵機のホース取り付け口に差し込むだけでサイクロン集塵装置と集塵機とを一体に構成することができ、作業スペースを小さくすることができる。即ち、従来のサイクロン集塵装置はサイクロン本体のパイプと集塵機のホース取り付け口をホースでつなぐ構成となっていたため大きな作業スペースが必要となっていたが、本発明では集塵機のホース取り付け口にサイクロン集塵装置から突出したパイプの突出部を直接差し込むことにより前記ホースを不要とし、従来品より作業現場が改善されシンプルな構造となる、等の優れた効果を奏することができる。
【図面の簡単な説明】
【図１】サクロン集塵装置を断面図にして集塵機に取り付けた状態の側面図である。
【図２】図１のサイクロン集塵装置の正面図である
【図３】従来のサイクロン集塵装置を断面図にして集塵機に取り付けた状態の側面図である。
【符号の説明】
１            サイクロン集塵装置
２            サイクロン本体
３            パイプ
４            集塵タンク
５            入り口（パイプ）
６            透明板
７            分離板
８            孔
９            蓋
１０            粉塵
１１            集塵機
１２            ホース取り付け口
１３            キャスタ
【図１】
0004347544.tif 000002
【図２】
0004347544.tif 000003
【図３】
0004347544.tif 000004